(57)【要約】本発明は、情報担体（２３）上に含まれるマルチメディアデータ（２４）をエンハンスする方法に係る。記録及び／又は再生装置（２０）は、情報担体を読出しし、ネットワーク（１５）を介して遠隔ユニット（１０）と通信可能である。情報担体は、追加データ（２５）を有する。本発明の方法は、情報担体から行われる以下の段階：記録及び／又は再生装置の記憶ユニット（２１）におけるユーザの前の行動を定義するユーザデータを有するユーザファイル（２２）を読出しする段階と、ユーザデータに応じて追加データ（２５）を与える段階と、ユーザの最新の行動を反映するようユーザデータを更新する段階とを有する。
2006502644.tif 000002
【特許請求の範囲】
【請求項１】
情報担体上に含まれたマルチメディアデータをエンハンスする方法において、前記情報担体は更に追加データも含む方法であって、
前記方法は、前記情報担体から行われる以下の段階：
記録及び／又は再生装置の記憶ユニットにおける、ユーザの前の行動を定義するユーザデータを有するユーザファイルを読出しする段階と、
前記ユーザデータに応じて前記追加データを供給する段階と、
前記ユーザの最新の行動を反映するよう前記ユーザデータを更新する段階と、
を有する、マルチメディアデータをエンハンスする方法。
【請求項２】
前記記録及び／又は再生装置は、ネットワークを介して遠隔ユニットに接続され、
前記遠隔ユニットは、追加データを有し、
前記方法は、前記遠隔ユニットから行われる以下の段階：
前記記憶ユニットにおける前記ユーザデータを有する前記ユーザファイルを読出しする段階と、
前記ユーザデータに応じて前記遠隔ユニット追加データを供給する段階と、
前記ユーザの最新の行動を反映するよう前記ユーザデータを更新する段階と、
を有する請求項１記載のマルチメディアデータをエンハンスする方法。
【請求項３】
マルチメディアデータと、前記マルチメディアデータをエンハンスする追加データとを有する情報担体であって、
前記情報担体は更に、
記録及び／又は再生装置の記憶ユニットにおける、ユーザの前の行動を定義するユーザデータを有するユーザファイルを読出しする手段と、
前記ユーザの前の行動に応じて前記追加データを供給する手段と、
前記ユーザの最新の行動に応じて前記ユーザファイルにおける前記ユーザデータを更新する手段と、
を有する情報担体。
【請求項４】
マルチメディアデータと、前記マルチメディアデータをエンハンスする追加データとを有する情報担体を読出しするよう適応される記録及び／又は再生装置であって、
前記記録及び／又は再生装置の記憶ユニットにおける、ユーザの前の行動を定義するユーザデータを有するユーザファイルを読出しする手段と、
前記ユーザの前の行動に応じて前記追加データを供給する手段と、
前記ユーザの最新の行動に応じて前記ユーザファイルにおける前記ユーザデータを更新する手段と、
を有する記録及び／又は再生装置。
【請求項５】
プロセッサにより実行されるときに、請求項１に記載のマルチメディアデータをエンハンスする方法を実施するプログラム命令を有するコンピュータプログラム。
【発明の詳細な説明】
【技術分野】
【０００１】
本発明は、情報担体上に含まれるマルチメディアデータをエンハンスする方法に係る。
【０００２】
本発明は更に、マルチメディアデータを有する情報担体と、マルチメディアデータをエンハンスする上述の方法を実施するコンピュータプログラムに係る。
【０００３】
本発明は特に、ＤＶＤビデオディスクに関連し、このようなディスクは、インターネットネットワークを介してウェブサーバと通信するＤＶＤレコーダ及び／又はプレイヤにおいて用いられることを意図する。
【背景技術】
【０００４】
ＤＶＤフォーラムは、現在のＤＶＤビデオ規格の拡張としてウェブ接続型ＤＶＤを標準化するためのワーキンググループＡＨ１−１２を設立した。その方針は、新しい規格のＤＶＤビデオディスクを、その特定のＤＶＤビデオディスクに直接関連する追加のデータを含む発行者のウェブサイトへのリンクと共に発行することである。そのウェブサイトは、例えば、ＤＶＤビデオディスクを含んだＤＶＤビデオプレイヤによりダウンロード可能であり、オリジナルのメニュの代わりに使用可能な新しいナビゲーションメニュを含み得る。
【０００５】
ハイパーテキスト転送プロトコルｈｔｔｐの一部として定義されるクッキーと称するユーザデータを用いることにより、ウェブサイトにより提示される追加のデータは、ユーザファイル内に含まれ、ユーザの前の行動に対応する上述のユーザデータに基づいてカスタマイズされることが可能である。その結果、クッキーは、ウェブサイトがｈｔｔｐ接続に亘ってユーザ情報を維持することを可能にする。
【発明の開示】
【発明が解決しようとする課題】
【０００６】
本発明は、追加データが、ウェブサイトではなくディスクからもたらされる場合に、同じカスタマイズ化特徴が与えられることを可能にする通信方法を提案することを目的とする。
【課題を解決するための手段】
【０００７】
実際において、追加データを情報担体上に直接書込みし、そのデータに、オフラインで、即ち、インターネットを介してウェブサイトに接続する必要なく、ウェブサイト上にある追加データに参照するのと同様に参照することが便利であり得る。
【０００８】
このために、本発明のマルチメディアデータをエンハンスする方法は、情報担体は追加データを有し、また、上述の方法は、情報担体上に含まれるコードを用いて実行される以下の段階を有することを特徴とする。それらの段階は、
記録及び／又は再生装置の記憶ユニットにおける、ユーザの前の行動を定義するユーザデータを有するユーザファイルを読出しする段階と、
ユーザデータに応じて追加データを与える段階と、
ユーザの最新の行動を反映するようユーザデータを更新する段階である。
【０００９】
このような方法は、追加データが情報担体からもたらされるとき、即ち、記録及び／又は再生装置がインターネットネットワークに接続されないとき、追加データが、ユーザの過去の動作に基づいてカスタマイズされることを可能にする。
【００１０】
本発明のマルチメディアデータをエンハンスする方法は更に、記録及び／又は再生装置が、ネットワークを介して、追加データを有する遠隔ユニットに接続するときに、その遠隔ユニットから行われる以下の段階を有することを特徴とする。それらの段階は、
記憶ユニットにおけるユーザデータを有するユーザファイルを読出しする段階と、
ユーザデータに応じて遠隔ユニット追加データを与える段階と、
ユーザの最新の行動を反映するようユーザデータを更新する段階である。
【００１１】
この場合、遠隔ユニットにより使用されるユーザファイルは、情報担体により使用されるユーザファイルと同じである。このことは、連続セッションに亘っての一貫性を確実にし、それらの連続セッションは、情報担体、即ち、オフライン、又は、遠隔ユニット、即ち、オンラインのどちらからでも行われる。
【００１２】
本発明は更に、マルチメディアデータと、そのマルチメディアデータをエンハンスする追加データを有する情報担体に係る。
【００１３】
最後に、本発明は、マルチメディアデータをエンハンスする方法を実施するプログラム命令を有するコンピュータプログラムに係る。
【発明を実施するための最良の形態】
【００１４】
本発明のこれらの及び他の面は、以下に記載する実施例を参照して、明らかになり且つ説明する。
【００１５】
本発明を、添付図面を参照しながら、例示的により詳細に説明する。
【００１６】
本発明は、互いにネットワークを介して接続される記録及び／又は再生装置と、遠隔ユニットとの間のデータ通信方法に係る。以下の説明において、記録及び／又は再生装置はＤＶＤビデオプレイヤであり、遠隔ユニットはウェブサイトであり、ネットワークはインターネットである。
【００１７】
しかしながら、当業者には、本発明は、より一般的には、クライアント／サーバのアーキテクチャに関連することは明らかであろう。クライアント側では、記録及び／又は再生装置は、例えば、インターネット接続を有し、且つ、プロトコルスタックがその中に構築されるホームＤＶＤプレイヤ又はパーソナルコンピュータＤＶＤプレイヤか、ＧＰＲＳ（汎用パケット・ラジオ・サービス）か、又は、スモール・フォーマット・ファクタ・オプティカルＳＦＦＯディスクが具備された第３世代移動電話機である。サーバ側では、遠隔ユニットは、その上で実行されるウェブ関連サービス又はプロキシを有するコンピュータシステムである。２つの側を接続するネットワークは、例えば、ＩＰｖ４又はＩＰｖ６プロトコルといったＴＣＰ／ＩＰプロトコル（伝送制御プロトコル／インターネットプロトコル）に基づいた任意の種類のネットワークである。
【００１８】
図１は、本発明の通信システムを示すブロック図である。この通信システムは、情報担体（２３）を読出し可能なＤＶＤビデオプレイヤ及び／又はレコーダ（２０）を有する。この情報担体は、オーディオ、ビデオ、又はテキストデータといったマルチメディアデータ（２４）を有する。
【００１９】
この実施例では、情報担体（２３）は、ＤＶＤビデオディスクであるが、当業者には、本発明は、ＤＶＤディスクに制限されないことは明らかであろう。本発明の範囲は、読出し専用ディスク、記録可能なディスク、及び書換え可能なディスクを含む任意の物理的ディスク形式（例えば、ＣＤ、ＤＶＤ、ブルーレイディスク等）を有する任意の媒体を一般的に含む。本発明は、一般的に、様々なアプリケーション形式（例えば、ビデオ、オーディオ、ゲーム等）を含むディスクに適用される。
【００２０】
ウェブサイト（１０）は、ＤＶＤディスク（２３）用の追加データ（１１）を有する。発行者は、ディスクプロバイダの入力からウェブサイト（１０）を管理する責任があり、発行者及びプロバイダは、同じ人であっても違う人であってもよい。ＤＶＤビデオプレイヤ（２０）及びウェブサイト（１０）は、インターネット（１５）を介して通信する。
【００２１】
ＤＶＤビデオディスクは、発行者のウェブサイトへのリンクを含む。このようなディスクが、ＤＶＤビデオプレイヤ内に挿入されると、ユーザは、ローカルＤＶＤマルチメディアデータ（２４）と、この特定のＤＶＤビデオディスクに直接関連しインターネットにより充実されるコンテンツにより形成される追加データ（１１）とを組合わせることが可能である。インターネットにより充実されるコンテンツは、例えば、ＤＶＤメニュ、画像、オーディオ、又はローカルのＤＶＤビデオと同期されるサブタイトルの新しいバージョンである。ＤＶＤディスクプロバイダが、インターネットにより充実されるコンテンツを作成する。インターネットにより充実されるコンテンツは、エンハンスド・ナビゲーション（ＥＮＡＶ）コンテンツとも称する。
【００２２】
ＤＶＤビデオディスクは更に、ウェブサイト（１０）上に存在するＥＮＡＶコンテンツとは必ずしも同一である必要はない追加データ（２５）も有する。情報担体（２３）上に含まれるＥＮＡＶコンテンツは、ウェブサイト（１０）から更新されることが可能である。
【００２３】
本発明の原理は、ＤＶＤビデオディスク上に含まれるＥＮＡＶコンテンツが、以下にクッキーと称すユーザデータを読出し又は書込みすることを、ｈｔｔｐプロトコルを介して行われるのと同様に可能にすることである。これは、ディスクとウェブサイトの両方から同じ動作がユーザに対して与えられることを可能にする。これは更に、ディスク、即ち、オフラインでのセッションと、ウェブサイト、即ち、オンラインでのセッションに亘っての一貫性を確実にする。
【００２４】
この特徴をサポートするために、ＤＶＤプレイヤは、クッキーを読出し又は書込み可能である、アプリケーションプログラムインタフェース、即ち、ＡＰＩを有する。このＡＰＩは、ＥＮＡＶコンテンツのスクリプト部内から呼出しされる。ｈｔｔｐと同様に、クッキーは、ＤＶＤプレイヤ（２０）の記憶ユニット（２１）においてクッキーを格納するウェブサイトと共に識別される。この場合、ＤＶＤディスク（２３）にリンク付けられるウェブサイト（１０）が、そのウェブサイトを有するウェブサーバを識別するよう用いられる。このウェブサーバを用いることにより、同じクッキーが、ディスクに関連するウェブサイトと、ディスコンテンツ自体の両方により用いられることが可能である。そうすると、ユーザのビューイング経験は、同じディスクのオフラインビューイングとオンラインビューイングに亘って一貫している。
【００２５】
オフラインクッキーとオンラインクッキーを別個に維持することが可能である。このことは、ウェブサーバが、ユーザのオフラインの行動を追跡することを阻止する。しかし、この場合、ビューイング経験は、オフラインビューイングとオンラインビューイングで、一貫しなくなる。
【００２６】
ＡＰＩは以下のように定義される。
−ＲｅａｄＣｏｏｋｉｅ（ＩＮ  ｓｅｒｖｅｒ＿ｉｄ，ＯＵＴ  ｃｏｏｋｉｅ＿ｓｔｒｉｎｇ）
ここでは、ＩＮは、入力を意味し、ＯＵＴは、出力を意味する。
【００２７】
このＡＰＩは、サーバ識別子ｓｅｒｖｅｒ＿ｉｄと共に格納されたクッキーを読出しし、関連付けられるユーザデータｃｏｏｋｉｅ＿ｓｔｒｉｎｇを、そのようなエントリがクッキーファイル内にある場合は、戻す。そのようなエントリがクッキーファイル内にない場合は、戻されたユーザデータｃｏｏｋｉｅ＿ストリングは空である。
−ＷｒｉｔｅＣｏｏｋｉｅ（ＩＮ  ｓｅｒｖｅｒ＿ｉｄ，ＩＮ  ｃｏｏｋｉｅ＿ｓｔｒｉｎｇ）
このＡＰＩは、サーバを識別するサーバ識別子ｓｅｒｖｅｒ＿ｉｄと、関連付けられるデータとしてのユーザデータｃｏｏｋｉｅ＿ｓｔｒｉｎｇと共にエントリをクッキーファイル内に書込みする。ＡＰＩは、このサーバに関連する前のクッキーがあった場合には、それに上書きする。
【００２８】
この場合、ＡＰＩは、ｈｔｔｐプロトコルに従ってクッキーを受信し及び戻すことと同じである。別の実施例では、クッキー識別子は、ディスク自体に拡張することが可能である。即ち、ＡＰＩは、所定のウェブサーバ及び所定のディスクに対してのみユーザデータｃｏｏｋｉｅ＿ｓｔｒｉｎｇを読取り又は書込みすることが可能である。
【００２９】
以下の例は、本発明の方法を説明する。まず、ユーザは、ＤＶＤディスク（２３）を、ウェブに接続されるＤＶＤプレイヤ（２０）内に挿入する。このディスクは、発行者のウェブサイト（１０）へのリンクを含むＥＮＡＶコンテンツを有する。例えば、リンクは、ｈｔｔｐ：／／ｗｗｗ．ｐｕｂｌｉｓｈｅｒ．ｃｏｍ／ｆｉｌｍである。次に、ＤＶＤプレイヤは、オンラインのＥＮＡＶコンテンツ（１１）を使用するためにこのウェブサイトに接続する。このために、ウェブサーバは、ＤＶＤプレイヤからクッキーファイル（２２）を読出ししようとする。ウェブサーバは、ＤＶＤプレイヤの記憶ユニット（２１）内に同じサーバによって格納されたクッキーにしかアクセスできない。ここでの例では、ウェブサーバは、プリフィックスｗｗｗ．ｐｕｂｌｉｓｈｅｒ．ｃｏｍを有するクッキーしか読出しすることができない。そのようなクッキーがある場合は、そのクッキーは、ウェブサーバに戻される。ウェブサーバは、ユーザの行動を反映するよう後からクッキーを更新することが可能である。例えば、ウェブサーバは、ユーザがアクセスしたディスクの特徴を示す符号化ストリングを格納することが可能である。
【００３０】
後で、ユーザが、ＤＶＤプレイヤがオフラインであるときに、ディスクを挿入すると、ＤＶＤプレイヤは、ウェブサイト上に含まれるＥＮＡＶコンテンツではなくディスク上に含まれるＥＮＡＶコンテンツ（２５）を用いる。本発明では、ディスク上のＥＮＡＶコンテンツに含まれるスクリプトが、ＤＶＤプレイヤからクッキーファイルを読出しする。ＡＰＩの呼は、以下の通りである。
−ＲｅａｄＣｏｏｋｉｅ（ｗｗｗ．ｐｕｂｌｉｓｈｅｒ．ｃｏｍ，ｃｏｏｋｉｅ＿ｓｔｒｉｎｇ）
この場合、ディスク上に書込みされたスクリプトが、ＤＶＤプレイヤに、前のセッション中にウェブサーバにより格納されたユーザデータｃｏｏｋｉｅ＿ｓｔｒｉｎｇを、ウェブサイトｗｗｗ．ｐｕｂｌｉｓｈｅｒ．ｃｏｍに戻すようにさせる。このユーザデータのコンテンツは、ＥＮＡＶコンテンツにおけるスクリプトが、ユーザの過去の動作に基づいてスクリーン（３０）上に表示される表現をカスタマイズすることを可能にする。
【００３１】
オフラインセッションが終了すると、ディスク上に書込みされたスクリプトは、ＤＶＤプレイヤに、ユーザの動作、つまり、ユーザによりどの特徴がアクセスされたのかを反映するようクッキーファイルを更新させる。ＡＰＩの呼は以下の通りである。
−ＷｒｉｔｅＣｏｏｋｉｅ（ｗｗｗ．ｐｕｂｌｉｓｈｅｒ．ｃｏｍ，ｃｏｏｋｉｅ＿ｓｔｒｉｎｇ）
この場合、ディスク上に書込みされたスクリプトが、ＤＶＤプレイヤに、ユーザの最新の行動を反映するクッキーストリングｃｏｏｋｉｅ＿ｓｔｒｉｎｇを、符号化して又は符号化しないでクッキーファイル内に書込みさせる。
【００３２】
本発明は、ＥＮＡＶコンテンツの表現が、オンラインセッションとオフラインのセッション間でシームレスな方法で行われることを確実にする。
【００３３】
請求項における任意の参照符号は、その請求項を制限すると解釈すべきではない。「有する」という動詞及びその活用形の使用は、任意の請求項に記載する段階又は構成要素以外の段階又は構成要素の存在を排除するものではないことは明らかである。単数形で示す構成要素又は段階も、そのような構成要素又は段階が複数存在することを排除するものではない。
【図面の簡単な説明】
【００３４】
【図１】本発明によるマルチメディアデータをエンハンスする方法を示すブロック図である。
【図１】
2006502644.tif 000003
【国際調査報告】
2006502644.tif 000004
2006502644.tif 000005
2006502644.tif 000006